(57)【要約】【課題】圃場に植付ける際に上下の姿勢が決まっているにんにく等の球根を適正な姿勢で自動的に植付けることができる球根植付機を得ることを課題とする。【解決手段】細長いシート１の下端部に発根側部位を下にした姿勢で固定した球根３等を前記シート１が起立する姿勢で各セルに収容したセルトレイ６の各セルを機体の設定個所に一セルづつ順に繰出す繰出装置８と、該繰出装置８により繰出されるセルに収容される球根３等を前記シート１を掴んで取出す取出装置９と、該取出装置９が掴んだシート１を放して落下する球根３等を受けとって圃場に植付ける植付装置１０を設けた球根等の植付機とした。【選択図】図４
2004033010.tif 000002
【特許請求の範囲】
【請求項１】
細長いシート１の下端部に発根側部位を下にした姿勢で固定した球根３等を前記シート１が起立する姿勢で各セルに収容したセルトレイ６の各セルを機体の設定個所に一セルづつ順に繰出す繰出装置８と、該繰出装置８により繰出されるセルに収容される球根３等を前記シート１を掴んで取出す取出装置９と、該取出装置９が掴んだシート１を放して落下する球根３等を受けとって圃場に植付ける植付装置１０を設けたことを特徴とする球根等の植付機。
【請求項２】
発根側部位を設定方向に向けて供給された球根３等を一つづつ繰出す球根繰出装置３１と、細長いシート１を一つづつ繰出すシート繰出装置３２と、シート繰出装置３２で繰出されたシート１の下端部に球根３等を発根側部位がシート下端方向に向く姿勢で接着するシート球根接着部３４と、シート１が接着した球根３等を一つづつ落下させて供給する球根供給部２５と、該球根供給部２５から落下するシート１が接着した球根３等を受けとって圃場に植付ける植付装置１０を設けたことを特徴とする球根等の植付機。
【発明の詳細な説明】
【０００１】
【発明の属する技術分野】
本発明は、圃場に植付ける際に上下の姿勢が決まっているにんにく等の球根や種芋の植付を行う球根等の植付機の技術分野に属する。
【０００２】
【従来の技術】
にんにく等の球根は、発芽部と発根部が定まっており、植付ける際には発芽部を上にし発根部を下にして植え付けなければならない。このような植付け方で球根を自動的に植付けることができる植付機は、これまで開発されていなかった。
【０００３】
【発明が解決しようとする課題】
そこで、本件発明は、上記のように圃場に植付ける際に上下の姿勢が決まっているにんにく等の球根を適正な姿勢で自動的に植付けることができる球根植付機を得ることを課題とする。
【０００４】
【課題を解決するための手段】
本発明は、上記課題を解決するために、以下のような技術手段を講じたものである。
即ち、請求項１記載の発明は、細長いシート１の下端部に発根側部位を下にした姿勢で固定した球根３等を前記シート１が起立する姿勢で各セルに収容したセルトレイ６の各セルを機体の設定個所に一セルづつ順に繰出す繰出装置８と、該繰出装置８により繰出されるセルに収容される球根３等を前記シート１を掴んで取出す取出装置９と、該取出装置９が掴んだシート１を放して落下する球根３等を受けとって圃場に植付ける植付装置１０を設けたことを特徴とする球根等の植付機としたものである。
【０００５】
また、請求項２記載の発明は、発根側部位を設定方向に向けて供給された球根３等を一つづつ繰出す球根繰出装置３１と、細長いシート１を一つづつ繰出すシート繰出装置３２と、シート繰出装置３２で繰出されたシート１の下端部に球根３等を発根側部位がシート下端方向に向く姿勢で接着するシート球根接着部３４と、シート１が接着した球根３等を一つづつ落下させて供給する球根供給部２５と、該球根供給部２５から落下するシート１が接着した球根３等を受けとって圃場に植付ける植付装置１０を設けたことを特徴とする球根等の植付機としたものである。
【０００６】
【作用】
請求項１記載の球根等の植付機では、まず、植付時の上下姿勢が決まっている球根３等に細長いシート１の下端部を固定させる。このとき発芽側部位を上にした姿勢でシート１の下端部を固定させる。シート１の下端部の球根３等への固定方法は、接着材により接着する方法、球根３等をシート１でキャンディーのように包んで固定する方法などがある。このようにして細長いシート１の下端部を固定させた球根３等をシート１が起立する姿勢でセルトレイ６の各セルに収容する。なお、セルトレイ６の搬送途中で振動などにより球根３等がセルから容易に飛び出さないよう球根３等を収容したセルにゲル等を加えて仮固定すると良い。そして、このように球根３等を収容したセルトレイ６を本発明の球根等の植付機の繰出装置８に装填する。繰出装置８は、上記シート１が付いた球根３等を収容したセルトレイ６を機体の設定個所に一セルづつ順に繰出す。次に、繰出装置８により繰出されたセルに収容される球根３等を取出装置９が前記シート１を掴んで取出し、続いて、取出装置９が設定個所で掴んだシート１を放して球根３等を落下させ、その落下する球根３を植付装置１０が受けとって圃場に植付ける。取出装置９がシート１を掴んで取出し、その掴んだシート１を放して球根３を落下させると、球根３等が重いので、発芽側部位を上にした姿勢で球根３等が落下し、その姿勢で球根３等を植付装置１０が受けとって圃場に植付けることになるので、球根３等は発芽側部位を上にした姿勢で植付けられる。
【０００７】
請求項２記載の球根等の植付機では、球根繰出装置３１が発根側部位を設定方向に向けて供給された球根３等を一つづつ繰出し、シート繰出装置３２が細長いシート１を一つづつ繰出す。そして、シート球根接着部３４で、シート繰出装置３２で繰出されたシート１の下端部に球根３等を発根側部位がシート下端方向に向く姿勢で接着する。このようにしてできたシート１付き球根３等は球根供給部２５が一つづつ落下供給し、それを植付装置１０が一つづつ受けとって圃場に植付ける。球根供給部２５からシート１付き球根３等が一つづつ落下供給されるとき、シート１が上方に向き重量の重い球根３等が下方に位置して落下するので、発根側部位が下になり発芽側部位が上になった姿勢で球根３等が落下する。その姿勢で球根３等を植付装置１０が受けとって圃場に植付けることになるので、球根３等は発芽側部位を上にした姿勢で植付けられる。
【０００８】
【発明の効果】
本発明は、上述のように球根植付機を構成したので、球根３等を発芽側部位を上にした適正な姿勢で、機械により自動的に植付けられるものとなる。従って、植付時の上下姿勢が決まっているニンニク等の球根や種芋の植付が、適確に且つ能率よく植付けることができるようになる。
【０００９】
【発明の実施の形態】
以下、本発明の実施の形態について説明する。ここでは、一例としてニンニクの球根を植付ける球根植付機について説明するものとし、はじめに、請求項１に記載の発明の実施の形態について説明する。
【００１０】
まず、シート１は、図２の左側に示すように、紙又は合成樹脂を素材とした長方形のシートであって、一方側に植付後の球根深さを示すガイドマーク２を表示し、他方側ににんにく球根３を接着するための接着部４を形成して構成している。シート１は、上述のとおり紙又は合成樹脂を素材とするが、外部から押圧力が働くと撓むように可撓性を有し、尚且つ、植付穴に落下したときや、セルトレイ６の各セルに収容して後記繰出装置８に装填したときには、直立状態に保持できる程度の硬さを有する構成としている。そして、深さガイドマーク２は、シート１の一方側（上部側）に、数段の線引き、又は色分け表示等により作業者に分かり易い目印を付けて構成している。このように本例のシート１は、球根等の植付深さを示すガイドマーク部材５として機能もするので、以下、シート１をガイドマーク部材５としてよぶこともある。
【００１１】
つぎに、にんにく球根３は、図２の右側に示すように、ガイドマーク部材５の前記接着部４に接着する作業であるが、この場合、まず、球根３自身の上下方向を確認してシート１の上下方向に合わせ、接着剤によって接着する。そのとき、ガイドマーク部材５は、図２の右側に示すように、シート１の下部側の接着部４ににんにく球根３の芽側を上に向け、根側を下に向けて接着した状態で補助具なしで独立して直立状に立った姿勢が確保できる素材であることが必要である。
【００１２】
つぎに、セルトレイ６は、図３に示すように、上述したガイドマーク部材５に接着したにんにく球根３を、そのガイドマーク部材５を上に向けて立てた状態でセルトレイ６の前後左右に整列配置された各セルに収容する。その後、各セル内にゲル状材料等をセルに充填して半固化状態にして収容した球根がセルトレイ搬送中などで飛び出したりしないようにすることもできる。
【００１３】
つぎに、植付機７について説明する。植付機７は、図４に示すように、車体フレーム１１に左右一対の前輪１２、１２と駆動輪となる左右の後輪１３、１３とを軸架して設け、前部にエンジン１４を搭載し、後部上方に歩行操縦用のハンドル１５を設けている。そして、細長いシート１の下端部に発芽側部位を上にした姿勢で固定した球根３を前記シート１が起立する姿勢でセルトレイ６の各セルを機体の設定個所に一セルづつ順に繰出す繰出装置８と、該繰出装置８により繰出されるセルに収容される球根３を前記シート１を掴んで取出す取出装置９と、該取出装置９が掴んだシート１を放して落下する球根３を受けとって圃場に植付ける植付装置１０を設けたものとしている。
【００１４】
繰出装置８は、セルトレイ６を搭載可能とし、セルトレイ６を一セルづつ間欠的に横移動しながら左右往復移動する横移動装置と、セルを一列分横送りして反対方向に折り返して横移動するとき一列分縦方向にセルトレイを送る縦送り装置とを備えて、機体の設定個所にセルトレイ６を一セルづつ順次繰出す構成となっている。
【００１５】
苗取出装置９は、図１及び図４に示すように、先端部が左右外側に開閉する一対の取出杆９ａ、９ｂを設け、該取出杆９ａ、９ｂを取出作動機構１６に連結して、取出杆９ａ、９ｂが適宜タイミングで開閉しながら適宜に設定した取出軌跡を描いて動作する構成としている。実施例の取出装置９は、設定した取出軌跡で動作する過程において、初期に左右一対の取出杆９ａ、９ｂが開いた状態で設定個所に繰出されたセルに向って移動し、ガイドマーク部材５に達すると、左右両側の取出杆９ａ、９ｂがガイドマーク部材５を摘んだ状態に閉まり、そして、その状態で取出杆９ａ、９ｂがセルから後退していくことで、球根３の取り出しができる構成となっている。
【００１６】
このようにして、取出装置９は、摘んだガイドマーク部材５の下部ににんにく球根３を吊り下げた状態（図１参照）で繰出装置８のセルトレイ６から取り出し、下方の植付装置１０に落下供給する構成となっている。このとき、左右一対の取出杆９ａ、９ｂは、植付装置１０の上側に達すると、左右が自動的に開いてガイドマーク部材５を開放し、そのガイドマーク部材５と下側に接着している球根３とを下側の植付装置１０内に落下する構成となっている。
【００１７】
そして、植付装置１０は、図４に示すように、上述した取出装置９の取出軌跡の下側に待機した状態から下降し、そして、圃場面に突入して下端部を開放し植付を行い、その後、前記待機位置に上昇するというように上下動を繰返して機体の自走とともに植付を行っていくものである。植付装置１０は、上側の受部１０ａとその下側で下端部が前後に開閉する植付カップ１０ｂとで構成され、植付作動機構１７を構成する作動リンク１７ａに連結した構成としている。そして、実施例の植付装置１０は、側面視上下に長い楕円状の植付軌跡を描きながら昇降動作する過程で、圃場面に突入すると、植付カップ１０ｂが土中で前後に開き植付穴を形成し、植付カップ１０ｂ内の球根３を落下させて植付けできる構成としている。
【００１８】
つぎに、鎮圧輪１８、１８は、図４及び図５に示すように、上記植付装置１０による植付位置の後方両側に左右一対を配置して回転自由に軸架し、植付位置の両側から鎮圧する構成としている。そして、鎮圧輪１８、１８は、従来から植付直後の植付穴の両側を回転しながら進むことによって植付穴の両側の土を押し崩しながら穴埋めをし、鎮圧をしていた。
【００１９】
これに対して、図例の鎮圧輪１８、１８は、図５及び図６に示すように、円錐形の回転筒輪１９の内周面に、らせん状の突起からなる土送り螺旋２０を形成し、回転に伴って回転筒輪１９の外側で盛り上がり回転筒輪１９の内側に倒れ込んだ土を、土送り螺旋２０によって内側に搬送して、その土も加わることで植付穴の充分な覆土が行える構成としている。
【００２０】
このように、上記図例に係る鎮圧輪１８、１８は、植付作業中に植付位置のすぐ後の両側で回転しながら鎮圧作用を行なうが、同時に、外側から回転筒輪１９の内部に倒れ込んできた土を内周面の土送り螺旋２０によって、内側に送ることができる。したがって、この鎮圧輪１８、１８を苗移植機に用いた場合、従来同様な鎮圧作用が得られるものでありながら、覆土が従来よりも充分に行えるものとなる。また、本例のような球根植付機に用いた場合には、球根３が上側から落下供給された直後の植付穴に左右両側から土をかけて十分な穴埋めが行える。
【００２１】
上例に係るにんにく球根３の植付機７は、まず、深さガイドマーク２を表示したガイドマーク部材５ににんにく球根３を上下方向を合わせて接着して一体とし、この球根３をセルトレイ６に入れてこれを繰出装置８に装填する。そして、にんにく球根３の植付を行なうのであるが、そのとき、取出装置９は、左右一対の取出杆９ａ、９ｂが図１に示すように、繰出装置８に突入してガイドマーク部材５を摘んでにんにく球根３を取り出し、植付装置１０に供給して移植するのである。
【００２２】
そして、上例の植付機７は、セルトレイ６の各セルに収容したにんにく球根３を取り出すとき、一体に接着しているシート１の上部（深さガイドマーク側）を摘んで取り出すから、にんにく球根３が直接苗取出装置９の取出杆９ａ、９ｂによって圧接され損傷を受けることがなく、発芽障害や成育不良を起こすことがない特徴がある。更に、上例では、球根３が圃場面に落下するときシート１の働きによって植付姿勢が安定し、不揃いになることがなく、球根３の上下方向性が確保されると共に、植付深さもシート１の深さガイドマーク２で確認することができる特徴を有する。
【００２３】
以上のように植付機７は、請求項１に係る発明の一実施形態として構成した。即ち、細長いシート１の下端部に発根側部位を下にした姿勢で固定した球根３等を前記シート１が起立する姿勢で各セルに収容したセルトレイ６の各セルを機体の設定個所に一セルづつ順に繰出す繰出装置８と、該繰出装置８により繰出されるセルに収容される球根３等を前記シート１を掴んで取出す取出装置９と、該取出装置９が掴んだシート１を放して落下する球根３等を受けとって圃場に植付ける植付装置１０を設けたことを特徴とする球根等の植付機としたものである。
【００２４】
そして、この植付機７では、まず、植付時の上下姿勢が決まっている球根３等に細長いシート１の下端部を固定させる。このとき発芽側部位を上にした姿勢でシート１の下端部を固定させる。シート１の下端部の球根３等への固定方法は、接着材により接着する方法、球根３等をシート１でキャンディーのように包んで固定する方法などがある。このようにして細長いシート１の下端部を固定させた球根３等をシート１が起立する姿勢でセルトレイ６の各セルに収容する。なお、セルトレイ６の搬送途中で振動などにより球根３等がセルから容易に飛び出さないよう球根３等を収容したセルにゲル等を加えて仮固定すると良い。そして、このように球根３等を収容したセルトレイ６を本発明の球根等の植付機の繰出装置８に装填する。繰出装置８は、上記シート１が付いた球根３等を収容したセルトレイ６を機体の設定個所に一セルづつ順に繰出す。次に、繰出装置８により繰出されたセルに収容される球根３等を取出装置９が前記シート１を掴んで取出し、続いて、取出装置９が設定個所で掴んだシート１を放して球根３等を落下させ、その落下する球根３を植付装置１０が受けとって圃場に植付ける。取出装置９がシート１を掴んで取出し、その掴んだシート１を放して球根３を落下させると、球根３等が重いので、発芽側部位を上にした姿勢で球根３等が落下し、その姿勢で球根３等を植付装置１０が受けとって圃場に植付けることになるので、球根３等は発芽側部位を上にした姿勢で植付けられる。
【００２５】
以上のように植付機７を構成したので、球根３等を発芽側部位を上にした適正な姿勢で、機械により自動的に植付けられるものとなる。従って、植付時の上下姿勢が決まっているニンニク等の球根や種芋の植付が、適確に且つ能率よく植付けることができるようになる。
【００２６】
次に、図７及び図８に示した請求項２に記載の発明の実施の形態について説明する。なお、上記で既に説明した部位と同様な作用を有するものについては、同じ符号を用いて図７，８に示しており、以下においては、重複する説明は省略する。
【００２７】
まず、ホッパー２７は、図面に示すように、供給口２８に近い位置を支持杆２９の上部に枢着して支持し、遠い部位にクランク運動をする揺動杆３０を連結して揺動可能に支持して設け、内部に装填するにんにく球根３を揺動しながら各個の上部（発芽側）と下部（根側）とを揃える構成としている。そして、球根繰出装置としてのコンベヤ球根コンベヤ３１は、図面から解るように、搬送始端部を前記供給口２８の下側に臨ませて設け、後方に延長して搬送終端部を苗供給装置２５の上方に位置させて構成している。そして、シート１を繰出すシート繰出装置としてのシートコンベヤ３２は、上記球根コンベヤ３１に対向させ、搬送始端部を後部の供給装置３３に臨ませ、搬送終端部を前記球根コンベヤ３１の搬送終端部に対面させて設け、供給装置３３から供給されたシート１を搬送する構成としている。
【００２８】
そして、球根コンベヤ３１とシートコンベヤ３２は、上下方向を揃えて搬送してきたにんにく球根３と、同じように上下方向を揃えて搬送してきたシート１とを、互いの搬送終端部分において、搬送作用によって両側から合わせてにんにく球根３を、シート１の接着部４に接着する構成としている。この場合、シート１は、予め接着部４に接着剤を塗布したものを使用し、にんにく球根３と接着部４とが両コンベヤ３１、３２の搬送終端部分で接触するように搬送される構成としている。この両コンベヤ３１、３２の搬送終端部でのにんにく球根３と接着部４との接触により、両者は接着することになり、ここがシート球根接着部３４となっている。そして、両コンベヤ３１、３２が更に回転して、シート１付きの球根３が球根供給部２５に落下供給される構成となっている。
【００２９】
そして、球根供給部２５は、半自動型の苗移植機で用いられている所謂ターンテーブルといわれる構成部分であり、複数の供給カップ２５ａが供給回転台３７上に円形状に配列され、回転して設定個所の供給カップ２５ａの底面が開放する供給部２５ｂから下側の植付装置１０に供給する構成としている。そして、植付装置１０は、本件発明の図４で説明したように、植付軌跡を描いて回動して土中で植付カップ１０ｂが開いて植付穴が形成され、その穴に上側から落下するにんにく球根３を植え付ける構成としている。
【００３０】
以上のように上記植付機は、請求項２に係る発明の一実施形態として構成した。即ち、発根側部位を設定方向に向けて供給された球根３等を一つづつ繰出す球根繰出装置３１と、細長いシート１を一つづつ繰出すシート繰出装置３２と、シート繰出装置３２で繰出されたシート１の下端部に球根３等を発根側部位がシート下端方向に向く姿勢で接着するシート球根接着部３４と、シート１が接着した球根３等を一つづつ落下させて供給する球根供給部２５と、該球根供給部２５から落下するシート１が接着した球根３等を受けとって圃場に植付ける植付装置１０を設けたことを特徴とする球根等の植付機としたものである。
【００３１】
上記構成の植付機では、球根繰出装置３１が発根側部位を設定方向に向けて供給された球根３等を一つづつ繰出し、シート繰出装置３２が細長いシート１を一つづつ繰出す。そして、シート球根接着部３４で、シート繰出装置３２で繰出されたシート１の下端部に球根３等を発根側部位がシート下端方向に向く姿勢で接着する。このようにしてできたシート１付き球根３等は球根供給部２５が一つづつ落下供給し、それを植付装置１０が一つづつ受けとって圃場に植付ける。球根供給部２５からシート１付き球根３等が一つづつ落下供給されるとき、シート１が上方に向き重量の重い球根３等が下方に位置して落下するので、発根側部位が下になり発芽側部位が上になった姿勢で球根３等が落下する。その姿勢で球根３等を植付装置１０が受けとって圃場に植付けることになるので、球根３等は発芽側部位を上にした姿勢で植付けられる。
【００３２】
以上のように植付機を構成したので、球根３等を発芽側部位を上にした適正な姿勢で、機械により自動的に植付けられるものとなる。従って、植付時の上下姿勢が決まっているニンニク等の球根や種芋の植付が、適確に且つ能率よく植付けることができるようになる。
【００３３】
なお、以上の説明では、にんにくの球根の植付機として説明したが、本発明を利用して、にんにく以外の他の野菜の球根や種芋の植付機で実施することもできる。
図９及び図１０に図示したものについて以下説明する。
【００３４】
当該図示例のものは畝を跨いで自走しながら作業を行う畑作業機（図示例では植付機）４０に使用する左右一対のクローラ４１、４１に関し、例えば、畝を跨いで走行する場合、走行ミッション装置４２の両側に軸架した駆動スプロケット４３、４３の幅（間隔）より左右一対のクローラ４１、４１の接地幅（トレッド）が狭くできる特殊なクローラを提供するものである。
【００３５】
このクローラ４１、４１は、図１０の断面視（左）で解るように、全長に渡って内側（機体側）に肉盛４１ａをして断面形状を台形に形成したものである。したがって、クローラ４１、４１は、図１０に示す背面図のように、車体４４に装備するとき、両側から内側に傾斜させて設けることによって、上部の走行ミッション装置４２の両側に軸架した駆動スプロケット４３、４３の幅（間隔）より、下部の転輪４５、４５に巻回した位置の接地幅（トレッド）が狭くなるように構成できる。例えば、駆動スプロケット４３、４３の幅（間隔）が５０ｃｍであるとき、クローラ４１、４１の接地部の間隔を４５ｃｍにすることができるものであって、狭い畝幅に沿わせて走行できるものである。そして、そのとき、クローラ４１、４１は、左右一対の接地側を接近させるように斜めに装備した状態で接地面が地面に沿って平らな面で接地できるものとなり、円滑に走行できる。
【図面の簡単な説明】
【図１】球根等の植付機の取出装置の部球根取出時の作用を示す斜面図。
【図２】シートの正面図。
【図３】シート付き球根を収容させたセルトレイの斜面図。
【図４】球根等の植付機の側面図。
【図５】鎮圧輪の背面図。
【図６】鎮圧輪の断面背面図。
【図７】別構成の球根等の植付機の平面図。
【図８】別構成の球根等の植付機の側面図。
【図９】クローラ式走行装置を備えた苗移植機を示す側面図。
【図１０】クローラ式走行装置を示す一部断面背面図。
【符号の説明】
１：シート
２：深さガイドマーク
３：にんにく球根
４：接着部
５：ガイドマーク部材
６：セルトレイ
７：植付機
８：繰出装置
９：取出装置
９ａ，９ｂ：取出杆
１０：植付装置
２５：球根供給部
３１：球根繰出装置
３２：シート繰出装置
３４：シート球根接着部
【図１】
2004033010.tif 000003
【図２】
2004033010.tif 000004
【図３】
2004033010.tif 000005
【図４】
2004033010.tif 000006
【図５】
2004033010.tif 000007
【図６】
2004033010.tif 000008
【図７】
2004033010.tif 000009
【図８】
2004033010.tif 000010
【図９】
2004033010.tif 000011
【図１０】
2004033010.tif 000012